(57)【要約】  【課題】専用の電気配線工事が必要でなく、極めて簡単に設置できる火災感知器を提供する。  【解決手段】  本発明の火災感知器４は、金属製またはプラスチック製のケーシング４０内に火災感知手段として、温度センサ５１、煙センサ５２、火災判定装置（図示せず）、警報ブザー５５、作動テストボタン５６、表示灯５６ａ、５６ｂなど作動テスト装置を備えているものである。このケーシング４０には、その上面に引掛けシーリング規格のプラグ金具４１を配設されていて、部屋の天井部分１に配設されている、商用電力の供給ライン２２に接続された受け金具２１ａを備えた引掛けシーリングソケット２に接続可能の構成されている。この引掛けシーリングソケット２には、既設の引掛けシーリングが利用できる。  【選択図】  図１
2006092446.tif 000002
【特許請求の範囲】
【請求項１】
ケーシングの上面に引掛けシーリングプラグを配設して、部屋天井に配設されている商用電力の供給を受ける引掛けシーリングソケットに接続可能とするとともに、そのケーシング内には火災感知手段を配備したことを特徴とする火災感知器。
【請求項２】
前記ケーシングには、その下面に引掛けシーリングソケットを配設した請求項１に記載の火災感知器。
【請求項３】
前記ケーシング内には、二次電池と、交流電源オン時にその二次電池を充電するための充電電源とを備え、交流電源オフ時に該二次電地を前記火災感知手段の電源とするようにした請求項１に記載の火災感知器。
【請求項４】
前記ケーシング内には、前記火災感知手段として、煙センサ、温度センサ、火災判定装置、警報装置、作動テスト装置を備えている請求項３に記載の火災感知器。
【請求項５】
前記ケーシングには、外部に配置した火災センサの信号を伝えるケーブルを接続するためのソケットを設けた請求項１から４のいずれかに記載の火災感知器。
【発明の詳細な説明】
【技術分野】
【０００１】
本発明は、一般住宅など建物内に簡単に配置することができる火災感知器の改良に関するものである。
【背景技術】
【０００２】
従来、火災感知器には、周囲の煙濃度を計測する光電素子を用いた煙濃度計測部と、周囲の温度を計測する熱電素子を用いた温度計測部と、煙濃度計測値、温度計測値とから所定の火災発生信号を発生させる電子回路から構成される火災判定装置を備えたものが知られている。（特許文献１参照）
【０００３】
このような各個別装置は半導体素子を含む電子回路から構成されているので、所要の電力が外部から供給される必要がある。このために一般には１００ボルトまたは２００ボルトの商用電力の供給を受けるのが普通のシステム構成であった。このような火災感知器では、建物の新築時には屋内の配線工事とともに専用の電源配線も容易に実施可能であるが、既存建物の場合には、天井裏の電気配線を新規に行なう必要があることから、設置のための電気配線工事費が嵩むことが、既存建物への火災感知器の普及にための大きな障害となっていた。
【特許文献１】特開２００３−３０７６２号公報：特許請求の範囲の記載、図１
【発明の開示】
【発明が解決しようとする課題】
【０００４】
本発明は、上記の問題点を解決するためになされたものであり、専用の電気配線工事が必要でなく、極めて簡単に設置できる火災感知器を提供する。
【課題を解決するための手段】
【０００５】
上記の問題は、ケーシングの上面に引掛けシーリングプラグを配設して、部屋天井に配設されている商用電力の供給を受ける引掛けシーリングソケットに接続可能とするとともに、そのケーシング内には火災感知手段を配備したことを特徴とする本発明の火災感知器によって、解決することができる。
【０００６】
また、本発明は、前記ケーシングには、その下面に引掛けシーリングソケットを配設した形態に具体化できる。この場合は、下面の引掛けシーリングソケットを利用して照明器具などを吊下げ設置できる利点がある。
また、前記ケーシング内には、二次電池と、交流電源オン時にその二次電池を充電するための充電電源とを備え、交流電源オフ時に該二次電地を前記火災感知手段の電源とするようにした形態に具体化すれば、停電時にも問題なく機能するという利点が得られる。
【０００７】
また、本発明では、前記ケーシング内には、前記火災感知手段として、煙センサ、温度センサ、火災判定装置、警報装置、作動テスト装置を備えている形態や、前記ケーシングには、外部に配置した火災センサの信号を伝えるケーブルを接続するためのソケットを設けた形態に具体化でき、判定精度が良く、利用範囲が広くなるという利点も得られる。
【発明の効果】
【０００８】
本発明の火災感知器は、以上説明したように、既存の個建て住宅、アパート、マンションなど一般住宅に設けられている天井照明器具などに供される引掛けシーリングを利用できるから、新規の電源配線工事をする必要が無く、ワンタッチで取り付けできるので、ごく簡単に各部屋に設置できる。かくして、従来、採用され難かった一般既設住宅にまで、自動火災感知器を大いに普及させることができるという優れた効果がある。よって本発明は、従来の問題点を解消した火災感知器として、実用的価値はきわめて大なるものがある。
【発明を実施するための最良の形態】
【０００９】
次に、本発明の火災感知器に係る実施形態について、図１〜３を参照しながら説明する。
先ず、本発明の火災感知器４は、金属製またはプラスチック製のケーシング４０内に火災感知手段として、温度センサ５１、煙センサ５２、火災判定装置（図示せず）、警報ブザー５５、作動テストボタン５６、表示灯５６ａ、５６ｂなど作動テスト装置を備えているものである。このケーシング４０は後記のように天井に取り付けられるので、厚さの薄いものが好ましいが、形状は図示の円形に限定されない。
【００１０】
そして、本発明では、このケーシング４０には、その上面に引掛けシーリング規格のプラグ金具４１を配設されていて、部屋の天井面１に配設されている商用電力の供給ライン２２に接続された受け金具２１ａを備えた引掛けシーリングソケット２に接続可能に構成されている点に特徴がある。この場合、前記引掛けシーリングソケット２は、照明器具（図３の符号６参照）の吊下げコード３２が接続された引掛けシーリングプラグ３を接続している既設の引掛けシーリングが利用できる。
【００１１】
このように、本発明の火災感知器４は、既設の引掛けシーリングソケット２を利用して、ワンタッチで天井面１に取り付けることができ、同時にこの引掛けシーリングソケット２を通じて商用電力の供給を受けることができる。
かくして、本発明の火災感知器では常時、内蔵した温度センサ５１、煙センサ５２、火災判定装置（図示せず）、警報ブザー５５などが機能して、火災発生を監視し、必要に応じて警報を発することができ、また、作動テストボタン５６、表示灯５６ａ、５６ｂなど作動テスト装置によって機能を常時点検できるのである。
【００１２】
そして、最も好ましいメリットは、この火災感知器の設置に伴って新規に専用の電源用電気配線工事を行う必要が全くない点にある。かくして、設置工事自体が極めて簡単であることに加えて、特別の配線工事が不要であることから、従来、なかなか普及しなかった
一般既設住宅にまで、自動火災感知器を大いに普及させることができるという優れたメリット効果が得られる。
本発明では、引掛けシーリングという用語を用いたが、これには耳付き引掛け埋め込みローゼット、角型引掛けシーリング、丸型引掛けシーリングなどを含む用語である。
【００１３】
また、本発明の火災感知器４では、前記ケーシング４０の下面に、前記プラグ金具４１と電気的に接続されている受け金具４２ａを備えた引掛けシーリングソケット４２を配設しておくのが特に好ましい形態である。この場合は、この引掛けシーリングソケット４２を利用して、図３に例示するように、照明器具６などの引掛けシーリングプラグ３を接続すれば、既設の照明器具６などの電気機器を利用しながら、火災感知器４を天井面１に付設できるというメリットが得られるのである。なお、この図３では、角型の火災感知器４を例示した。
【００１４】
さらに、本発明の火災感知器は、通常、前記した商用電力を電源として作動するのであるが、停電対策として、前記ケーシング４内には、ＮｉＣｄ電池のような二次電池５４と、交流電源オン時にその二次電池５４を充電するための充電電源５３とを備え、交流電源オフ時、すなわち停電時には、充電されているその二次電地５４を、温度センサ５１、煙センサ５２、火災判定装置（図示せず）、警報ブザー５５などの火災感知手段の電源とするよう切替え可能に設定しておくのが特に好適である。
【００１５】
また、本発明では、充電電源５３、二次電地５４、温度センサ５１、煙センサ５２、火災判定装置（図示せず）、警報ブザー５５などの火災感知手段を備えた事例に基づいて説明したが、これら個々の部品は公知のものを利用できる。また、これらを組み合せて特許文献１に記載のような判定精度に優れた火災警報機能を付与することもできる。
【００１６】
さらに、本発明の火災感知器の前記ケーシング４０には、外部に配置した火災センサ（温度センサ、煙センサなど。図示せず）からの信号を伝える信号ケーブルを接続するためのソケット（図示せず）を設けておくのも良い。この事例では、既設の引掛けシーリングソケット２の位置が不適当な位置にある場合にも、別途、火災センサ部分を好ましい位置に配置して、そこから所要の信号を受け入れるよう信号ケーブルをこの火災感知器４に配線すれば、火災感知器４自体の設置位置に関係なく最善の機能が発揮できる利点が得られるのである。
【００１７】
さらには、天井直付け照明器具の場合には、ケーシング４０内に配置した火災センサ（温度センサ５１、煙センサ５２）に対して、照明ランプやシェードなどが障害となるので、本発明のこの実施形態のように、天井直付け照明器具の外部に配置した火災センサからの信号を信号ケーブルを通じて入力できるよう構成してあれば、前記吊下げ照明器具の他、天井直付けの場合にも利用できるなど、利用範囲が大きく広がるという利点が得られることになる。
【図面の簡単な説明】
【００１８】
【図１】本発明の火災感知器を説明するための関連器具を含めた要部断面図。
【図２】実施形態を示す下面図。
【図３】照明器具を吊下げた実施形態を下方から見た斜視図
【符号の説明】
【００１９】
１：天井面
２：引掛けシーリングソケット、２１：受け金具、２２：商用電力の供給ライン
３：引掛けシーリングプラグ、３１：プラグ金具、３２：吊下げコード
４：火災感知器、４０：ケーシング、４１：プラグ金具、４２：引掛けシーリングソケット、５２ａ：受け金具
５１：温度センサ、５２：煙センサ、５３：充電電源、５４：二次電池、５５：警報ブザー、５６：作動テストボタン、５６ａ、５６ｂ：表示灯
６：照明器具
【図１】
2006092446.tif 000003
【図２】
2006092446.tif 000004
【図３】
2006092446.tif 000005